(57)【要約】【課題】遠隔操作式排水栓装置の取り付け作業の作業性を向上させ、レリースワイヤの損傷や挫屈を防止する。【解決手段】遠隔操作式排水栓装置を挿通孔及び排水口を有するエルボ部材と、排水口を開閉する弁体と、弁体の開閉を操作する操作部と、操作部と挿通孔とを一定の間隔となるように連通する中空のチューブ管と、チューブ管内を挿通して、操作部と弁体とを接続するレリースワイヤと、から成り、更に操作部を、スイッチガイドと、チューブ管の一端が接続される接続管とを備え、接続管を軸方向上方に引き上げた時には、排水口からレリースワイヤが飛び出すようにし、更に接続管を軸方向下方に引き下げた時には、遠隔操作式排水栓装置の作動の適切となる長さ位置に、接続管を固定可能とするように構成する。【選択図】  図２
2008248687.tif 000002
【特許請求の範囲】
【請求項１】
挿通孔（２）及び排水が流入する排水口（３）を有するエルボ部材（１）と、
前記排水口（３）を開閉する弁体（４）と、
該弁体（４）の開閉を操作する操作部（５）と、
該操作部（５）と前記挿通孔（２）とを一定の間隔となるように連通する中空のチューブ管（６）と、
該チューブ管（６）内を挿通して、前記操作部（５）と前記弁体（４）とに接続され、前記操作部（５）に加えられた動作を前記弁体（４）に伝達するレリースワイヤ（７）と、
から成る遠隔操作式排水栓装置において、
操作部（５）を、
筒形状のスイッチガイド（８）と、
チューブ管（６）の一端が接続され、該スイッチガイド（８）に対して上下に進退自在に備えられる接続管（２０）と、を備えて成り、
該スイッチガイド（８）に対して接続管（２０）を接続管（２０）の軸方向上方に引き上げた時には、
チューブ管（６）のスイッチガイド（８）から排水口（３）までの長さが短くなった長さだけ、排水口（３）からレリースワイヤ（７）が飛び出すようにし、
更に該スイッチガイド（８）に対して接続管（２０）を接続管（２０）の軸方向下方に引き下げた時には、遠隔操作式排水栓装置の作動の適切となる長さ位置に、前記スイッチガイド（８）と接続管（２０）を固定可能とするように構成してなることを特徴とする遠隔操作式排水栓装置。
【請求項２】
上記記載の遠隔操作式排水栓装置において、
前記スイッチガイド（８）と前記接続管（２０）は係合固定されることを特徴とする請求項１に記載の遠隔操作式排水栓装置。
【請求項３】
上記記載の遠隔操作式排水栓装置において、
前記スイッチガイド（８）と前記接続管（２０）はねじによって螺合固定されることを特徴とする請求項１に記載の遠隔操作式排水栓装置。
【請求項４】
上記記載の遠隔操作式排水栓装置において、遠隔操作式排水栓装置を取り付けた排水機器に、前記スイッチガイド（８）と接続管（２０）との
固定又は固定解除を施すための、作業窓を開口したことを特徴とする請求項１乃至請求項３のいずれか一つに記載の遠隔操作式排水栓装置。
【請求項５】
上記記載の遠隔操作式排水栓装置において、
前記作業窓を浴槽（Ｂ）に取り付けられるエプロン部（２３）としたことを特徴とする請求項４に記載の遠隔操作式排水栓装置。
【請求項６】
上記遠隔操作式排水栓装置の施工方法であって、
接続管（２０）をスイッチガイド（８）に対し軸方向上方に引き上げた時に、浴槽（Ｂ）の上方側から、エルボ部材（１）内に配置しているレリースワイヤ（７）を、排水口（３）を通して浴槽（Ｂ）側へ引き上げ、弁体（４）に接続するように構成してなることを特徴とする請求項１乃至請求項５のいずれか１つに記載の遠隔操作式排水栓装置の施工方法。
【発明の詳細な説明】
【技術分野】
【０００１】
本発明は、洗面器、浴槽等の槽体の排水口の開閉を遠隔操作する、遠隔操作式排水栓装置に関する。
【背景技術】
【０００２】
従来よく知られた、浴槽に取り付けられる遠隔操作式排水栓装置としては、例えば図１に示した浴槽において、図５に示した操作部を採用したものがある。以下に図５に示した操作部を用いた遠隔操作式排水装置の従来例を、図面を参照しつつ説明する。
図５に図示した操作部を採用した従来例の遠隔操作式排水栓装置は、以下に記載した排水栓本体、弁体、弁支持部材、レリースワイヤ、操作部、エルボ部材、チューブ管、より構成されてなる。
排水栓本体は、内部に排水口を形成する略円筒形状であって、その外側面に雄ねじを備えて成る。
弁体は、上記排水口を閉口する弁蓋と、該弁蓋の中心より下方に向けて垂下された弁軸より成る。
弁支持部材は、排水口内に収納固定される部材であって、弁軸を収納するとともに、その後端にレリースワイヤを接続する軸受部を備えてなり、該弁支持部材を介してレリースワイヤと弁体が接続される。
レリースワイヤは、可撓性を備えた中空のアウターチューブと、該アウターチューブの内面を軸方向に滑動するインナーワイヤと、インナーワイヤの一方の端部に備えられ、弁支持部材に接続された際に上記弁体の弁軸の直下に配置されるピン部（図示せず）と、から成る。
操作部は、以下に記載するスイッチガイドと、操作ボタンと、機構部としてのスラストロック部材と、から成る。
スイッチガイドは、円筒形状にして内面に段部を備えてなり、更にその内部に、上方から順に操作スイッチ、スラストロック部材を収納してなる。
操作ボタンは、使用者がこれを手で押しこむことによって、その駆動をレリースワイヤへ伝達するための部品であり、下部はスラストロック部材の動作軸に取り付け固定されてなる。
スラストロック機構は、その外側面上方に、周縁に沿ってスイッチガイドの段部に係止される段部を備えるとともに、その中心に、前記操作ボタンの押しこみ操作毎に前進（降下）して固定／固定を解除しレリースワイヤのインナーワイヤに付勢されて後退（上昇）、を繰り返す動作軸を備えてなる。
エルボ部材は、排水栓本体の雄ねじと螺合する雌ねじを設けた開口部、前記排水口から流れ込む排水を下水側に排出するための排出口、及びレリースワイヤを相通する挿通孔を備えて成る。
チューブ管は、筒状にして軸方向には剛性を、また側面方向には可撓性を備えた中空の部材であって、一方の端部は前記操作部のスイッチガイド下端外周面に、他端はエルボ部材の挿通孔にそれぞれ水密的に接続され、内部にはレリースワイヤが挿通されてなる。
【０００３】
上記のように構成した遠隔操作式排水栓装置を図１に図示した浴槽に取り付ける場合、まず、浴槽等に設けた取着孔の周縁を介して排水栓本体とエルボ部材を螺合させ、取着孔に排水栓本体を取り付ける。
次に、浴槽上縁部に設けられた取付孔に、操作部のスイッチガイドを取り付け固定し、更にスイッチガイドの下端と前記エルボ部材の挿通孔とを、前記チューブ管を介して水密的に接続する。
更にレリースワイヤを、スラストロック部材に接続した上で、ピン部側からスイッチガイドに、スラストロック部材の鍔部がスイッチガイドの段部上に係止するまで挿入すると、ピン部はチューブ管、接続孔を介し、エルボ部材内に挿通される。更に浴槽の上方側から、エルボ部材内に配置しているレリースワイヤのピン部を、排水口を通してペンチなどで浴槽側へ引き上げる。
この状態より、レリースワイヤのピン部側の端部を弁支持部材の軸受部下端に接続し、更に弁支持部材を排水口内に取り付け固定する。その後、弁体の弁軸を弁支持部材の軸受部内に収納して、レリースワイヤのピン部の先端が弁体の直下となるように配置することで遠隔操作式排水栓装置の取り付けが完了する。
【０００４】
上記従来例の遠隔操作式排水栓装置を使用する場合、まず操作部の操作ボタンに操作を加えて弁体が排水口を閉口した状態、即ちレリースワイヤのインナーワイヤが操作部側に後退して、ピン部が降下した状態とする。この状態より操作ボタンに操作を加えて、インナーワイヤを排水口側に前進させると、インナーワイヤ先端のピン部が上昇して直上にある弁体の弁軸下端を押上げ、それに伴って弁蓋が上昇して排水口を開口する。この開口状態は操作部に備えたスラストロック機構によって維持される。この状態より操作ボタンに操作を加えてスラストロック機構の維持状態を解除すると、インナーワイヤが操作部側に後退し、ピン部が下降するため、ピン部に押し上げられていた弁体も降下して排水口を閉口する。以後この操作を繰り返すことで排水口の開閉を自在に操作することができる。
【特許文献１】特願２００１−２７５６４９号公報
【発明の開示】
【発明が解決しようとする課題】
【０００５】
上記したような遠隔操作式排水栓装置においては、以下の作用を得る為に操作部とエルボ部材との間にチューブ管を介して接続されている。
１−１．前記操作部内に侵入した排水をチューブ管を通して直接エルボ部材から下水側へ排水することができ、浴槽下に垂れ流しにならず浴槽下が汚れることが無い。
１−２．上記の遠隔操作式排水栓装置の施工の際や、メンテナンスの際に、チューブ管がレリースワイヤの案内通路となるので、円滑にレリースワイヤをエルボ部材側まで案内でき、狭い浴槽下などにもぐりこむことなく作業することが出来る。これは特に浴槽一式の施工が終了し、防水パンや浴槽の裏側から作業を行うことが出来ないメンテナンス時に効果的である。
１−３．レリースワイヤがチューブ管によって保護されるので、施工時にレリースワイヤの損傷を防ぐことが出来る。
【０００６】
ところで、このスイッチガイド、チューブ管、エルボ部材の長さによって決定される、施工に最低限必要となる長さ（以後、単に「必要長さ」と記載）に対して、レリースワイヤが短かすぎると当然操作部からエルボ部材側までの間をレリースワイヤで接続出来ないし、レリースワイヤが長すぎると余分な長さのレリースワイヤがチューブ管内でねじれたり、無理な曲がり方をしてレリースワイヤを破損させてしまう、といった問題がある。
このような理由から、通常遠隔操作式排水栓装置のレリースワイヤは、必要長さ以上の余分な長さ分（以下、単に「あそび長さ」と記載）がほとんど生じないように寸法調整を行っている。
【０００７】
一方で上記のような遠隔操作式排水栓装置においては、レリースワイヤを弁支持部材に接続する際に、浴槽上方の排水口から浴槽内に一旦レリースワイヤを引き上げて、レリースワイヤのピン部側端部を弁支持部材に接続する必要があり、この場合にはあそび長さが長い方がレリースワイヤの浴槽内への飛び出し長さも長くなり、施工が容易となる。
しかし、前記段落０００６に記載したように、実際にはレリースワイヤにはあそび長さがほとんどないため、排水口から引き出すことが出来るレリースワイヤの長さもごくわずかであり、この接続作業の作業者は浴槽の中に身を乗り出して浴槽の底とレリースワイヤの飛び出しのわずかな隙間で作業を行わなければならず、大変施工作業が不便であった。また、この困難さから、作業者がレリースワイヤを無理に引っ張り出そうとして過大な引っ張り力を加えてしまうことが、レリースワイヤの損傷の一因となっていた。
【０００８】
また、スラストロック機構とレリースワイヤは、どちらかが破損した際に、破損した部材のみの交換で済むように別々の部材で構成されているが、取付の際にスラストロック機構の動作軸とレリースワイヤのインナーワイヤを正しく接続しないと、施工不良となってインナーワイヤが正しく動作せず、遠隔操作式排水装置が誤作動してしまう、といった問題も発生していた。
【０００９】
また、スラストロック機構とレリースワイヤのインナーワイヤとは互いにねじによって接続されているが、操作ボタンの動作による振動からねじがゆるみ、スラストロック部材からレリースワイヤが脱落して故障を生じることがあった。
【００１０】
また、操作ボタンから排水が流入した場合に、前記したようにスイッチガイドとスラストロック部材はスイッチガイドの内側面と、スラストロック部材の外側面との間に隙間がほとんどないため、操作部内に流入した排水は、スラストロック部材内部を通過してエルボ部材側へと排水していた。このため、内部の動作軸などの動作を行う部分に排水が流入して排水中の汚濁物質が付着し、故障や誤作動の原因となっていた。
【００１１】
本発明は上記のような問題を解決するために発明されたものであって、
２−１．遠隔操作式排水栓装置の取り付け作業の作業性を向上させ、レリースワイヤの損傷や挫屈を防止する、
２−２．機構部からレリースワイヤの脱落防止、
２−３．機構部の排水流入による機構部自体の故障、誤作動防止、を目的とする。
【課題を解決するための手段】
【００１２】
本発明は、挿通孔（２）及び排水が流入する排水口（３）を有するエルボ部材（１）と、前記排水口（３）を開閉する弁体（４）と、該弁体（４）の開閉を操作する操作部（５）と、該操作部（５）と前記挿通孔（２）とを一定の間隔となるように連通する中空のチューブ管（６）と、該チューブ管（６）内を挿通して、前記操作部（５）と前記弁体（４）とに接続され、前記操作部（５）に加えられた動作を前記弁体（４）に伝達するレリースワイヤ（７）と、から成る遠隔操作式排水栓装置において、
操作部（５）を、筒形状のスイッチガイド（８）と、チューブ管（６）の一端が接続され、該スイッチガイド（８）に対して上下に進退自在に備えられる接続管（２０）と、を備えて成り、該スイッチガイド（８）に対して接続管（２０）を接続管（２０）の軸方向上方に引き上げた時には、チューブ管（６）のスイッチガイド（８）から排水口（３）までの長さが短くなった長さだけ、排水口（３）からレリースワイヤ（７）が飛び出すようにし、
更に該スイッチガイド（８）に対して接続管（２０）を接続管（２０）の軸方向下方に引き下げた時には、遠隔操作式排水栓装置の作動の適切となる長さ位置に、前記スイッチガイド（８）と接続管（２０）を固定可能とするように構成してなることを特徴とする遠隔操作式排水栓装置である。
【００１３】
本発明は、上記記載の遠隔操作式排水栓装置において、前記スイッチガイド（８）と前記接続管（２０）は係合固定されることを特徴とする上記段落００１２に記載の遠隔操作式排水栓装置である。
【００１４】
本発明は、上記記載の遠隔操作式排水栓装置において、前記スイッチガイド（８）と前記接続管（２０）はねじによって螺合固定されることを特徴とする上記段落００１２に記載の遠隔操作式排水栓装置である。
【００１５】
本発明は、上記記載の遠隔操作式排水栓装置において、遠隔操作式排水栓装置を取り付けた排水機器に、前記スイッチガイド（８）と接続管（２０）との固定又は固定解除を施すための、作業窓を開口したことを特徴とする上記段落００１２乃至上記段落００１４のいずれか一つに記載の遠隔操作式排水栓装置である。
【００１６】
本発明は、上記記載の遠隔操作式排水栓装置において、前記作業窓を浴槽（Ｂ）に取り付けられるエプロン部（２３）としたことを特徴とする上記段落００１５に記載の遠隔操作式排水栓装置である。
【００１７】
本発明は、上記遠隔操作式排水栓装置の施工方法であって、接続管（２０）をスイッチガイド（８）に対し軸方向上方に引き上げた時に、浴槽（Ｂ）の上方側から、エルボ部材（１）内に配置しているレリースワイヤ（７）を、排水口（３）を通して浴槽（Ｂ）側へ引き上げ、弁体（４）に接続するように構成してなることを特徴とする上記段落００１２乃至上記段落００１６のいずれか１つに記載の遠隔操作式排水栓装置の施工方法である。
【発明の効果】
【００１８】
本願発明の遠隔操作式排水栓装置は、以下の効果を奏する。
１．請求項１乃至請求項３に記載の本発明においては、操作部とチューブ管の接続箇所を、スイッチガイドに対して軸方向に進退自在とした接続管において、遠隔操作式排水栓装置の作動に適切となる長さ位置に固定可能としたので、レリースワイヤの排水口からの飛び出し長さを、作業時に多少とも長くすることができるようになった。この為、レリースワイヤの無理な引っ張り等による損傷や挫屈が防止できるようになり、更にはレリースワイヤと弁支持部材の接続作業が非常に容易となった。
２．請求項４乃至請求項５に記載の本発明においては、浴槽に作業窓又はエプロン部を設けたので、遠隔操作式排水栓装置の不具合発生時やメンテナンスの際、遠隔操作式排水栓装置のメンテナンス作業が非常に容易となった。
【実施例】
【００１９】
以下に本発明の第１実施例を、図面を参照しつつ説明する。
図２又は図３に図示した操作部（５）を採用した本実施例の遠隔操作式排水栓装置は、以下に記載した排水栓本体（１５）、弁体（４）、弁支持部材（１６）、レリースワイヤ（７）、操作部（５）、エルボ部材（１）、接続管（２０）、チューブ管（６）より構成されてなる。
排水栓本体（１５）は、内部に排水口（３）を形成する略円筒形状であって、その外側面に雄ねじを備えて成る。
弁体（４）は、上記排水口（３）を閉口する弁蓋（４ａ）と、該弁蓋（４ａ）の中心より下方に向けて垂下された弁軸（４ｂ）より成る。
弁支持部材（１６）は、排水口（３）内に収納固定される部材であって、弁軸（４ｂ）を収納するとともに、その後端にレリースワイヤ（７）を接続する軸受部（１７）を備えてなり、該弁支持部材（１６）を介してレリースワイヤ（７）と弁体（４）が接続される。
レリースワイヤ（７）は、可撓性を備えた中空のアウターチューブ（７ａ）と、該アウターチューブ（７ａ）の内面を軸方向に滑動するインナーワイヤ（７ｂ）と、インナーワイヤ（７ｂ）の一方の端部に備えられ、弁支持部材（１６）に接続された際に上記弁体（４）の弁軸（４ｂ）の直下に配置されるピン部（図示せず）と、から成る。
操作部（５）は、以下に記載するスイッチガイド（８）、操作ボタン（１８）、接続管（２０）、及び機構部として前記段落０００２に記載したスラストロック部材（９）、から成る。
スイッチガイド（８）は、図２又は図３に図示したように、円筒形状にして内面に段部（８ａ）を備えてなり、更にその内部に、上方から順に操作ボタン（１８）、スラストロック部材（９）、を収納してなる。
また、外周面下端の円周面に沿って、後記する接続管（２０）と係合固定される、突起部（２１）及び該突起部（２１）に取り付けられたＯリング（２２）が備えられている。
操作ボタン（１８）は、図２又は図３に図示したように、使用者がこれを手で押しこむことによって、その駆動をレリースワイヤ（７）へ伝達するための部材であり、下部はスラストロック部材（９）の動作軸（１０）に着脱自在に取り付けられる。
接続管（２０）は、図２又は図３に図示したように、円筒形状であって、一方の端部に後記するチューブ管（６）が水密的に接続され、またチューブ管（６）が接続されない方の端部内周面の円周面に沿って、前記したスイッチガイド（８）の突起部（２１）及びＯリング（２２）と係合固定される、凹部（２０ａ）を備えている。また、該接続管（２０）は、施工前の段階では前記スイッチガイド（８）の下端に凸設されている突起部（２１）から上方に、スイッチガイド（８）に対して軸方向に進退自在に配置されている。
スラストロック部材（９）は、図２又は図３に図示したように、円筒形状の部材であって、内部には機構部としての、動作軸（１０）と、該動作軸（１０）に固定された、鋸歯状のカムリングからなる固定カムリング（１１）と、動作軸（１０）に回動及び昇降が自在な状態に軸着された鋸歯状のカムリングからなる回転カムリング（１２）と、動作軸（１０）、固定カムリング（１１）、回転カムリング（１２）、を収納して、内面に溝部及び鋸歯状の傾斜壁（１３）を備えたケーシング部（１４）と、を組みこんでなる。
また、該スラストロック部材（９）は、レリースワイヤ（７）の進退動作の固定／固定加除を行う部材であり、更に前記したレリースワイヤ（７）の操作部側端部に接続される。
エルボ部材（１）は、排水栓本体（１５）の雄ねじと螺合する雌ねじを設けた開口部、前記排水口（３）から流れ込む排水を下水側に排出するための排出口（１９）、及びレリースワイヤ（７）を相通する挿通孔（２）を備えて成る。
チューブ管（６）は、筒状にして軸方向には剛性を、また側面方向には可撓性を備えた中空の部材であって、一方の端部は前記接続管（２０）に、他端はエルボ部材（１）の挿通孔（２）にそれぞれ水密的に接続され、内部にはレリースワイヤ（７）が挿通されてなる。
【００２０】
上記のように構成した遠隔操作式排水栓装置を図１に図示した、作業窓としてのエプロン部（２３）を備えた浴槽（Ｂ）に取り付ける場合、まず、浴槽（Ｂ）に設けた取着孔の周縁を介して排水栓本体（１５）とエルボ部材（１）を螺合させ、取着孔に排水栓本体（１５）を取り付ける。
次に、浴槽（Ｂ）上縁部に設けられた取付孔に、操作部（５）のスイッチガイド（８）を取り付け固定し、更に前記エルボ部材（１）の挿通孔（２）と、前記チューブ管（６）の接続管（２０）に接続されていない方の端部とを水密的に接続する。
次にレリースワイヤ（７）とスラストロック部材（９）を接続させて、浴槽（Ｂ）の上方からスイッチガイド（８）内にレリースワイヤ（７）を挿通させる。レリースワイヤ（７）に接続されたスラストロック部材（９）をスイッチガイド（８）の段部（８ａ）上に係止するまで挿入すると、ピン部（図示せず）は、接続管（２０）、チューブ管（６）、挿通孔（２）を介し、エルボ部材（１）内に挿通される。
更に浴槽（Ｂ）の上方側から、エルボ部材（１）内に配置しているレリースワイヤ（７）のピン部（図示せず）を、排水口（３）を通してペンチなどで浴槽（Ｂ）側へ引き上げる。
その後、浴槽（Ｂ）のエプロン部（２３）を取り外し、浴槽（Ｂ）の外側面方向から、図２に図示したように、チューブ管（６）が接続された接続管（２０）を、スイッチガイド（８）の軸方向上方に引き上げる。このとき、チューブ管（６）のスイッチガイド（８）から排水口（３）までの長さは、接続管（２０）を引き上げた分だけ短くなる。これに対してレリースワイヤ（７）のスイッチガイド（８）から排水口（３）までの長さは変化していないので、当然レリースワイヤ（７）はチューブ管（６）のスイッチガイド（８）から排水口（３）までの長さが短くなった長さだけ、排水口（３）から飛び出すこととなる。
この状態より、レリースワイヤ（７）のピン部（図示せず）側の端部を弁支持部材（１６）の軸受部（１７）下端に接続させる。
その後、図３に図示したように、前記接続管（２０）を軸方向に引き下げて、前記スイッチガイド（８）の突起部（２１）及びＯリング（２２）に、前記接続管（２０）の凹部（２０ａ）を弾性的に係合固定させることで、レリースワイヤ（７）の排水口（３）からの飛び出しは遠隔操作式排水栓装置の作動に適切な長さになり、スイッチガイド（８）と接続管（２０）の接続が完了する。
更に、弁体（４）の弁軸（４ｂ）を弁支持部材（１６）の軸受部（１７）内に収納して、レリースワイヤ（７）のピン部（図示せず）が弁体（４）の直下となるように配置させ、最終的にはエプロン部（２３）を浴槽（Ｂ）に取り付けて遠隔操作式排水栓装置の取り付けが完了する。
【００２１】
また、第１実施例の遠隔操作式排水栓装置は、前記段落０００４に記載した従来例と同様の方法によって使用することができる。
【００２２】
また、本願発明は上記実施例に限定されるものではなく、請求項の範囲内において適宜変更可能である。
例えば、機構部の動作軸（１０）とインナーワイヤ（７ｂ）とを別体構造としても構わない。この方法によれば機構部の不具合発生時などに、機構部のみの取り替えだけで済むというメリットがある。
【００２３】
また、第１実施例においては、接続管（２０）とスイッチガイド（８）の接続を、弾性的な係合によって接続しているが、図４に示したようにねじによる螺合によって接続しても構わない。
【００２４】
また、第１実施例においては、遠隔操作式排水栓装置の外側面方向からスイッチガイド（８）と接続管（２０）との施工を行うために浴槽（Ｂ）のエプロン部（２３）を取り外すことで遠隔操作式排水栓装置の側面を露出させていたが、本発明は上記方法に限定されるものではなく、単純に作業を行うためだけの作業窓を浴槽（Ｂ）の側面に設けた構成としても良い。
【図面の簡単な説明】
【００２５】
【図１】遠隔操作式排水栓装置を採用した浴槽の断面図である。
【図２】施工時における第１実施例の遠隔操作式排水栓装置の、接続管を引き上げた際の操作部を示す要部断面図である。
【図３】施工時における第１実施例の遠隔操作式排水栓装置の、接続管をスイッチガイドに係合固定した際の操作部を示す要部断面図である。
【図４】その他の実施例を示す断面図である。
【図５】従来例の遠隔操作式排水栓装置の、操作部を示す要部断面図である。
【符号の説明】
【００２６】
１      エルボ部材                  ２      挿通孔
３      排水口                      ４      弁体
４ａ    弁蓋                        ４ｂ    弁軸
５      操作部                      ６      チューブ管
７      レリースワイヤ              ７ａ    アウターチューブ
７ｂ    インナーワイヤ              ８      スイッチガイド
８ａ    段部                        ９      スラストロック部材
１０    動作軸                      １１    固定カムリング
１２    回転カムリング              １３    傾斜壁
１４    ケーシング部                １５    排水栓本体
１６    弁支持部材                  １７    軸受部
１８    操作ボタン                  １９    排出口
２０    接続管                      ２０ａ  凹部
２１    突起部                      ２２    Ｏリング
２３    エプロン部                  Ｂ      浴槽
【図１】
2008248687.tif 000003
【図２】
2008248687.tif 000004
【図３】
2008248687.tif 000005
【図４】
2008248687.tif 000006
【図５】
2008248687.tif 000007